(57)【要約】  本開示の課題は、施工性を改善できる電力変換装置、及び電力変換システムを提供することである。本開示に係る電力変換システムは、交流電力の電力変換を行う電力変換装置（１０）を複数備えて、位相が異なる複数の交流の組み合わせである多相電力の電力系統に接続される。電力変換装置（１０）は、電力変換回路（２０）と、設定部（３０）と、制御回路（４０）とを備える。電力変換回路（２０）は、直流電力又は交流電力と、複数の交流のうちいずれかの交流の交流電力との間で電力変換を行う。設定部（３０）は、複数の交流のうち電力変換回路（２０）が電力変換を行う変換対象の交流を設定する。制御回路（４０）は、設定部（３０）の設定に応じて、電力変換回路（２０）の動作を制御する。
2019026764.tif 000002
【特許請求の範囲】
【請求項１】
交流電力の電力変換を行う電力変換装置を複数備えて、位相が異なる複数の交流の組み合わせである多相電力の電力系統に接続される電力変換システムに前記複数の電力変換装置の１つとして用いられる電力変換装置であって、
直流電力又は交流電力と、前記複数の交流のうちいずれかの交流の交流電力との間で電力変換を行う電力変換回路と、
前記複数の交流のうち前記電力変換回路が電力変換を行う変換対象の交流を設定する設定部と、
前記設定部の設定に応じて、前記電力変換回路の動作を制御する制御回路と、を有する
電力変換装置。
【請求項２】
前記制御回路は、前記複数の電力変換装置のうち自装置以外の電力変換装置と情報を共有し、前記情報に基づいて前記電力変換回路の動作を制御する
請求項１に記載の電力変換装置。
【請求項３】
前記情報は、前記複数の交流のうち対応する交流に関する電気的特性値をそれぞれ計測する複数の計測回路の計測値を含み、
前記制御回路は、前記複数の計測回路でそれぞれ計測された計測値に基づいて、前記電力変換回路を制御する
請求項２に記載の電力変換装置。
【請求項４】
複数の信号線を含む信号バスが、前記複数の電力変換装置のそれぞれに電気的に接続されており、
前記複数の計測回路は、前記複数の信号線のうち対応する信号線に計測値を出力する
請求項３に記載の電力変換装置。
【請求項５】
前記情報は、前記複数の電力変換装置の動作を同期させるためのクロック信号を含む
請求項２〜４のいずれか１項に記載の電力変換装置。
【請求項６】
前記複数の電力変換装置のうちの１つがマスタ装置、前記複数の電力変換装置のうち前記マスタ装置以外の電力変換装置がスレーブ装置となり、
自装置が前記マスタ装置である場合、前記制御回路は、異常発生時に、前記電力変換回路の動作を停止して、停止命令を前記スレーブ装置に出力し、
自装置が前記スレーブ装置である場合、前記制御回路は、前記マスタ装置から前記停止命令が入力されると前記電力変換回路の動作を停止する
請求項１〜５のいずれか１項に記載の電力変換装置。
【請求項７】
前記複数の電力変換装置のうちの１つがマスタ装置、前記複数の電力変換装置のうち前記マスタ装置以外の電力変換装置がスレーブ装置となり、
自装置が前記マスタ装置である場合、前記制御回路は、前記スレーブ装置に制御信号を出力し、
自装置が前記スレーブ装置である場合、前記電力変換回路は、前記マスタ装置から入力される前記制御信号によって動作が制御される
請求項１〜６のいずれか１項に記載の電力変換装置。
【請求項８】
請求項１〜７のいずれか１項に記載の電力変換装置を複数備え、
前記複数の電力変換装置のそれぞれに電気的に接続される信号バスを更に備え、
前記信号バスは、前記複数の電力変換装置で共有される複数種類の情報にそれぞれ対応した複数の信号線を含む
電力変換システム。
【請求項９】
前記複数の電力変換装置のそれぞれは、前記複数の信号線にそれぞれ電気的に接続される複数の接続端子を有し、
前記複数の電力変換装置がそれぞれ有する複数の接続端子のうち、同種類の前記情報に対応する接続端子同士を電気的に接続する導電路を有する接続回路を、更に備える
請求項８に記載の電力変換システム。
【請求項１０】
前記接続回路は、前記信号バスにおいて、前記信号バスに隣接して接続される２つの電力変換装置の間に設けられる
請求項９に記載の電力変換システム。
【請求項１１】
蓄電池を更に備え、
前記電力変換回路は、前記蓄電池の直流電力と前記複数の交流のうちいずれかの交流の交流電力との間で電力変換を行う
請求項９又は１０に記載の電力変換システム。
【請求項１２】
前記複数の電力変換装置と前記信号バスとを収納する収納部を、更に備える
請求項９〜１１のいずれか１項に記載の電力変換システム。
【発明の詳細な説明】
【技術分野】
【０００１】
本開示は、電力変換装置、及び電力変換システムに関し、特に、多相交流の電力変換に用いられる電力変換装置、及び電力変換システムに関する。
【背景技術】
【０００２】
従来、直流電源と、三相交流の電力系統との間で、電力変換を行う電力変換装置があった（例えば特許文献１参照）。この電力変換装置は、三相インバータと、三相の相ごとに設けられた単相インバータとを備え、三相インバータと各単相インバータの交流側発生電圧の合計電圧を交流側に出力する。【０００３】
特許文献１に記載の電力変換装置は、三相インバータと、各相の単相インバータとを組み合わせて構成されている。いずれかの相で故障が発生した場合は三相インバータの全体を交換しなければならず、メンテナンス性が悪かった。
【先行技術文献】
【特許文献】
【０００４】
【特許文献１】特開２０１５−９５９２６号公報
【発明の概要】
【０００５】
本開示の目的は、施工性を改善できる電力変換装置、及び電力変換システムを提供することにある。
【０００６】
本開示の一態様の電力変換装置は、交流電力の電力変換を行う電力変換装置を複数備えて、位相が異なる複数の交流の組み合わせである多相電力の電力系統に接続される電力変換システムに前記複数の電力変換装置の１つとして用いられる。前記電力変換装置は、電力変換回路と、設定部と、制御回路とを備える。前記電力変換回路は、直流電力又は交流電力と、前記複数の交流のうちいずれかの交流の交流電力との間で電力変換を行う。前記設定部は、前記複数の交流のうち前記電力変換回路が電力変換を行う変換対象の交流を設定する。前記制御回路は、前記設定部の設定に応じて、前記電力変換回路の動作を制御する。
【０００７】
本開示の一態様の電力変換システムは、前記電力変換装置を複数備え、前記複数の電力変換装置のそれぞれに電気的に接続される信号バスを更に備える。前記信号バスは、前記複数の電力変換装置で共有される複数種類の情報にそれぞれ対応した複数の信号線を含む。
【図面の簡単な説明】
【０００８】
【図１】図１は、本開示の一実施形態に係る電力変換システムの単相分の回路図である。
【図２】図２は、本開示の一実施形態に係る電力変換システムの回路図である。
【図３】図３は、本開示の一実施形態の変形例１に係る電力変換装置の回路図である。
【図４】図４は、変形例１の電力変換装置を用いた単相交流の電力変換システムの回路図である。
【図５】図５は、変形例１の電力変換装置を用いた三相交流の電力変換システムの回路図である。
【図６】図６は、変形例１の電力変換装置が収納ラックに収納された状態の正面図である。
【図７】図７は、変形例２の電力変換装置を用いた三相交流の電力変換システムの回路図である。
【図８】図８は、本開示の一実施形態の変形例４に係る電力変換システムの回路図である。
【図９】図９は、本開示の一実施形態の変形例５に係る電力変換装置の概略的な回路図である。
【図１０】図１０は、変形例５に係る電力変換装置の回路図である。
【図１１】図１１は、変形例５の電力変換装置を用いた単相交流の電力変換システムの回路図である。
【図１２】図１２は、変形例５の電力変換装置を用いた三相交流の電力変換システムの回路図である。
【図１３】図１３は、変形例５の電力変換装置が収納ラックに収納された状態の正面図である。
【図１４】図１４は、本開示の一実施形態の変形例６に係る電力変換システムの回路図である。
【発明を実施するための形態】
【０００９】
（実施形態）
（１）構成
本実施形態の電力変換装置１０は、図１に示すように、電力変換回路２０と、設定部３０と、制御回路４０と、計測回路５０とを備える。
【００１０】
本実施形態の電力変換装置１０は、図２に示すような電力変換システム１に用いられる。電力変換システム１は、三相交流の電力系統６に接続される。三相交流は、位相が１２０度ずつずれた三相（Ｕ相、Ｖ相、Ｗ相）の交流６ｕ，６ｖ，６ｗの組み合わせである。電力変換システム１は３つの電力変換装置１０ｕ，１０ｖ，１０ｗを備えている。電力変換装置１０ｕ，１０ｖ，１０ｗはそれぞれＵ相、Ｖ相、Ｗ相の交流６ｕ，６ｖ，６ｗの電力変換を行う。電力変換システム１は電力系統６と連系して負荷７に電力を供給する。
【００１１】
電力変換装置１０ｕ，１０ｖ，１０ｗは、３本の信号線４ｕ，４ｖ，４ｗを含む信号バス４にそれぞれ接続されており、信号バス４を介して情報を共有する。「情報」とは、電力変換装置１０ｕ，１０ｖ，１０ｗが連携して動作するために使用される情報であり、例えば、各相の交流６ｕ，６ｖ，６ｗに関する電気的特性値（例えば、入力又は出力の電流値、電圧値等）、エラー信号（停止命令）、クロック信号等がある。
【００１２】
本実施形態の電力変換装置１０は、電力変換システム１において電力変換装置１０ｕ，１０ｖ，１０ｗの１つとして用いられる。図１に示す電力変換装置１０はＵ相の電力変換装置１０ｕである。Ｖ相、Ｗ相の電力変換装置１０ｖ，１０ｗは、Ｕ相の電力変換装置１０ｕと同様の構成を有しているので、以下では、図１を参照しながらＵ相の電力変換装置１０ｕについて説明し、Ｖ相、Ｗ相の電力変換装置１０ｖ，１０ｗについては説明を省略する。以下の説明において、電力変換装置１０ｕ，１０ｖ，１０ｗを特に区別しないで説明する場合は、電力変換装置１０と記載する場合もある。
【００１３】
電力変換回路２０は、電線２を介して直流電源５に電気的に接続され、電線３を介してＵ相の交流６ｕに電気的に接続されている。電力変換回路２０は、直流電源５の直流電力と、交流６ｕの交流電力との間で電力変換を行う。電力変換回路２０は、直流電源５の直流電力と、交流６ｕの交流電力との間で双方向の電力変換を行うことができるように構成されている。直流電源５は例えば充放電が可能な蓄電池である。電力変換回路２０は、蓄電池から放電される直流電力を交流電力に変換して交流側に出力してもよいし、交流６ｕから供給される交流電力を直流電力に変換して蓄電池を充電してもよい。電力変換回路２０は、例えば、直流電力を交流電力に変換する変換動作と、交流電力を直流電力に変換する変換動作とを行うことができる双方向のインバータ回路を備える。インバータ回路は例えばスイッチング電源で構成されており、制御回路４０から入力されるＰＷＭ（Pulse Width Modulation）信号に応じてスイッチング素子をＰＷＭ制御することで、電力変換を行う。
【００１４】
設定部３０は、例えばディップスイッチで構成される。設定部３０は、複数の交流６ｕ，６ｖ，６ｗのうち電力変換回路２０が電力変換を行う変換対象の交流（図１の例ではＵ相の交流６ｕ）等を設定するために用いられる。
【００１５】
計測回路５０は、電力変換回路２０の変換対象の交流６ｕに関する電気的特性値として、電力変換回路２０の入力電流又は出力電流を計測する。計測回路５０は、例えばカレントトランス、ホールＩＣ等の変換器５０１を用いて、電力変換回路２０と交流６ｕとの間に流れる交流電流を計測する。ここで、直流電源５である蓄電池が放電している場合、計測回路５０によって計測される電流値は出力電流の電流値である。直流電源５である蓄電池が充電される場合、計測回路５０によって計測される電流値は入力電流の電流値である。計測回路５０は、交流電流の計測値を、制御回路４０と、Ｕ相の交流６ｕに対応する信号線４ｕに出力する。
【００１６】
ここで、Ｖ相、Ｗ相の信号線４ｖ，４ｗには、それぞれ、Ｖ相、Ｗ相の電力変換装置１０ｖ，１０ｗから交流電流の計測値が入力されている。三相の信号線４ｕ，４ｖ，４ｗを含む信号バス４は、複数の電力変換装置１０ｕ，１０ｖ，１０ｗのそれぞれに電気的に接続されている。したがって、Ｕ相、Ｖ相、Ｗ相の電力変換装置１０ｕ，１０ｖ，１０ｗから信号線４ｕ，４ｖ，４ｗにそれぞれ出力された情報（計測回路５０の計測値）は、各相の電力変換装置１０ｕ，１０ｖ，１０ｗによって共有される。
【００１７】
制御回路４０は、例えば、ＣＰＵ（Central Processing Unit）及びメモリを有するマイクロコンピュータにて構成されている。言い換えれば、制御回路４０は、ＣＰＵ及びメモリを有するコンピュータにて実現されており、ＣＰＵがメモリに格納されているプログラムを実行することにより、コンピュータが制御回路４０として機能する。プログラムは、ここでは制御回路４０のメモリに予め記録されているが、インターネット等の電気通信回線を通じて、又はメモリカード等の非一時的な記録媒体に記録されて提供されてもよい。
【００１８】
制御回路４０には、計測回路５０からＵ相の交流６ｕについての交流電流の計測値が入力され、信号線４ｖ，４Ｗを介してＶ相、Ｗ相の交流６ｖ，６ｗについての交流電流の計測値がそれぞれ入力される。したがって、制御回路４０には、Ｕ相、Ｖ相、Ｗ相の計測回路５０から交流６ｕ，６ｖ，６ｗについての交流電流の計測値が入力されている。
【００１９】
制御回路４０は、設定部３０の設定に応じて、電力変換回路２０の動作を制御する。設定部３０により電力変換回路２０の変換対象の交流がＵ相の交流６ｕであると設定されると、制御回路４０は、他相の交流６ｖ，６ｗを生成する電力変換装置１０ｖ，１０ｗと連携するように、電力変換回路２０を制御する。すなわち、制御回路４０は、計測回路５０から入力されるＵ相の交流電流の計測値と、信号線４ｖ，４ｗを介して入力されるＶ相、Ｗ相の交流電流の計測値とに基づいて、Ｕ相の交流電流が所望の値となるように電力変換回路２０を制御する。これにより、制御回路４０は、Ｕ相の電力変換装置１０ｕを、他相（Ｖ相、Ｗ相）の電力変換装置１０ｖ，１０ｗと連携して動作させることができ、相間の出力のばらつきを抑制することで電力品質が向上するという利点がある。また、相間の出力のばらつきを低減できるので、電力変換回路２０の出力側に大型のＡＣフィルタを設ける必要がなく、電力変換装置１０の小型化を図ることができる。
【００２０】
また、他の相、例えばＶ相の交流６ｖでの不具合によって、Ｖ相の交流電圧が所定の下限値よりも低下した場合、制御回路４０は、電力変換回路２０の動作を停止させる。このとき、Ｗ相の電力変換装置１０ｗにおいても、制御回路４０が電力変換回路２０の動作を停止させるので、Ｕ相、Ｗ相の電力変換回路２０が動作を停止する。したがって、三相交流の１相で電力変換回路２０の出力電圧が下限値よりも低下すると、三相交流の残りの相でも電力変換回路２０の動作が停止させられるから、電力変換システム１の不平衡状態での動作を回避できる。
【００２１】
以上のように、電力変換装置１０（１０ｕ，１０ｖ，１０ｗ）は、位相が異なる三相の交流６ｕ，６ｖ，６ｗのうちいずれかの交流の交流電力を変換する。制御回路４０は、設定部３０の設定内容を取得することで、三相の交流６ｕ，６ｖ，６ｗのうち電力変換回路２０が電力変換を行う変換対象の交流がどの交流であるかを判断でき、変換対象の交流に応じて電力変換回路２０を制御することができる。したがって、三相の電力変換装置１０ｕ，１０ｖ，１０ｗのいずれかで不具合が発生した場合は、不具合が発生した電力変換装置１０のみを交換すればよく、電力変換システム１の全体を交換する場合に比べてメンテナンス性が向上する。したがって、電力変換システム１の施工性を向上させることができ、生産性の向上やコストダウンを図ることができる。また、設定部３０の設定を変更することで、電力変換装置１０を複数の交流のうち所望の交流の電力変換装置として使用できるから、電力変換装置１０の使い勝手が向上するという利点もある。
【００２２】
（２）変形例
上記実施形態は、本開示の様々な実施形態の一つに過ぎない。上記実施形態は、本開示の目的を達成できれば、設計等に応じて種々の変更が可能である。
【００２３】
以下、上記実施形態の変形例を列挙する。以下に説明する変形例は、上記した構成と適宜組み合わせて適用可能である。
【００２４】
（２．１）変形例１
上記の電力変換装置１０（１０ｕ，１０ｖ，１０ｗ）では、計測回路５０が交流電流を計測しているが、計測回路５０は交流電流を計測するものに限定されない。変形例１の電力変換装置１０は、図３〜図５に示すように、計測回路５０として、電力変換回路２０の出力電圧を計測する第１計測回路５１と、交流電流を計測する第２計測回路５２とを備えている。ここで、図３及び図５では、変形例１において説明する構成以外について図示を適宜省略している。
【００２５】
設定部３０は、例えばスイッチ３１〜３４を有する４ビットのディップスイッチからなる。例えば、スイッチ３１によって、電力系統６がスター結線及びデルタ結線のいずれであるかが設定される。また、スイッチ３２，３３によって、変換対象の電源が、単相交流６ｓ（図４参照）、Ｕ相、Ｖ相、Ｗ相の交流６ｕ，６ｖ，６ｗのうちのいずれであるかが設定される。
【００２６】
制御回路４０は、Ｕ相、Ｖ相、Ｗ相の交流電圧の計測値Ｖｕ，Ｖｖ，Ｖｗがそれぞれ入力される入力ポートＰ１１，Ｐ１２，Ｐ１３と、Ｕ相、Ｖ相、Ｗ相の交流電流の計測値Ｉｕ，Ｉｖ，Ｉｗがそれぞれ入力される入力ポートＰ２１，Ｐ２２，Ｐ２３とを備える。
【００２７】
制御回路４０は、停止命令となるエラー信号を出力する出力ポートＰ３１と、エラー信号（停止命令）が入力される入力ポートＰ３２と、クロック信号の入力又は出力用の入出力ポートＰ３３とを備える。また、制御回路４０は、設定部３０の設定内容が入力される入力ポートも備えている。
【００２８】
制御回路４０の入力ポートＰ１１〜Ｐ１３，Ｐ２１〜Ｐ２３，Ｐ３２と、出力ポートＰ３１と、入出力ポートＰ３３とは、コネクタ７０の端子ｔ１〜ｔ８に電気的に接続されている。ここで、入力ポートＰ３２と出力ポートＰ３１とは、共にコネクタ７０の端子ｔ７に電気的に接続されている。また、コネクタ７０の端子ｔ１〜ｔ８は、それぞれ、信号バス４の信号線４１ｕ〜４１ｗ，４２ｕ〜４２ｗ，４３，４４に電気的に接続される（図５参照）。ここで、三相の電力変換装置１０ｕ，１０ｖ，１０ｗにおいて、コネクタ７０の端子ｔ１〜ｔ８の位置は定位置に決まっており、端子ｔ１〜ｔ８の配列は同じになっている。
【００２９】
また、変形例１の電力変換装置１０は、計測回路５０（第１計測回路５１、第２計測回路５２）の計測値を、信号バス４の複数の信号線のうち、変換対象の交流に対応する信号線に出力する切替回路（第１切替回路６１及び第２切替回路６２）を備えている。
【００３０】
第１切替回路６１は、第１計測回路５１の出力端と入力ポートＰ１１，Ｐ１２，Ｐ１３との間にそれぞれ接続されるスイッチ６１ｕ，６１ｖ，６１ｗを備える。設定部３０の設定に応じてスイッチ６１ｕ，６１ｖ，６１ｗのオン／オフがそれぞれ切り替えられることで、第１計測回路５１の出力端が入力ポートＰ１１〜Ｐ１３のいずれかに接続される。同様に、第２切替回路６２は、第２計測回路５２の出力端と入力ポートＰ２１，Ｐ２２，Ｐ２３との間にそれぞれ接続されるスイッチ６２ｕ，６２ｖ，６２ｗを備える。設定部３０の設定に応じてスイッチ６２ｕ，６２ｖ，６２ｗのオン／オフがそれぞれ切り替わることで、第２計測回路５２の出力端が入力ポートＰ２１〜Ｐ２３のいずれかに接続される。
【００３１】
例えば、設定部３０を用いて変換対象の交流がＵ相の交流６ｕ又は単相交流６ｓに設定されると、スイッチ６１ｕ，６２ｕがオンになり、スイッチ６１ｖ，６１ｗ，６２ｖ，６２ｗがオフになる。これにより、第１計測回路５１の計測値が入力ポートＰ１１に入力され、第２計測回路５２の計測値が入力ポートＰ２１に入力される。
【００３２】
また、設定部３０を用いて変換対象の交流がＶ相の交流６ｖに設定されると、スイッチ６１ｖ，６２ｖがオンになり、スイッチ６１ｕ，６１ｗ，６２ｕ，６２ｗがオフになる。これにより、第１計測回路５１の計測値が入力ポートＰ１２に入力され、第２計測回路５２の計測値が入力ポートＰ２２に入力される。
【００３３】
また、設定部３０を用いて変換対象の交流がＷ相の交流６ｗに設定されると、スイッチ６１ｗ，６２ｗがオンになり、スイッチ６１ｕ，６１ｖ，６２ｕ，６２ｖがオフになる。これにより、第１計測回路５１の計測値が入力ポートＰ１３に入力され、第２計測回路５２の計測値が入力ポートＰ２３に入力される。
【００３４】
この電力変換装置１０は、単相交流６ｓ及び三相の交流６ｕ，６ｖ，６ｗのうちのいずれかの電源に用いられる。すなわち、電力変換装置１０は単相用であり、単相交流６ｓの電力変換システムの電力変換装置としても使用可能であるし、三相交流の電力変換システム１において各相の電力変換装置としても使用可能である。
【００３５】
図４は、電力変換装置１０を単相交流６ｓの電力変換システムに適用した例を示している。この場合、設定部３０の設定により、スイッチ６１ｕ，６２ｕのみがオンになり、第１計測回路５１の計測値は制御回路４０の入力ポートＰ１１に入力され、第２計測回路５２の計測値は制御回路４０の入力ポートＰ２１に入力される。制御回路４０は、入力ポートＰ１１に入力される第１計測回路５１の計測値Ｖｕと、入力ポートＰ２１に入力される第２計測回路５２の計測値Ｉｕとに基づいて、計測値Ｖｕ，Ｉｕが所定の設定値となるように、電力変換回路２０を制御する。これにより、電力変換装置１０は、直流電源５である蓄電池から放電された直流電力を交流電力に変換し、単相交流６ｓと連携して負荷に電力を供給できる。また、電力変換装置１０は単相交流６ｓから供給される交流電力を直流電力に変換して直流電源５である蓄電池を充電することもできる。
【００３６】
一方、図５は、３台の電力変換装置１０ｕ，１０ｖ，１０ｗを三相交流の電力変換システム１に適用した例を示している。
【００３７】
この場合、Ｕ相の電力変換装置１０ｕでは、設定部３０の設定により、スイッチ６１ｕ，６２ｕのみがオンになり、第１計測回路５１の計測値は制御回路４０の入力ポートＰ１１に入力され、第２計測回路５２の計測値は制御回路４０の入力ポートＰ２１に入力される。また、電力変換装置１０ｕの制御回路４０には、信号バス４を介してＶ相、Ｗ相の電力変換装置１０ｖ，１０ｗで計測された計測値が入力される。これにより、電力変換装置１０ｕの制御回路４０は、変換対象の交流６ｕについての交流電流及び交流電圧の計測値と、他相の交流６ｖ，６ｗについての交流電流及び交流電圧の計測値とに基づいて、電力変換回路２０の動作を制御できる。
【００３８】
Ｖ相の電力変換装置１０ｖでは、設定部３０の設定により、スイッチ６１ｖ，６２ｖのみがオンになり、第１計測回路５１の計測値は制御回路４０の入力ポートＰ１２に入力され、第２計測回路５２の計測値は制御回路４０の入力ポートＰ２２に入力される。また、制御回路４０には、信号バス４を介してＵ相、Ｗ相の電力変換装置１０ｕ，１０ｗで計測された計測値が入力される。これにより、電力変換装置１０ｖの制御回路４０は、変換対象の交流６ｖについての交流電流及び交流電圧の計測値と、他相の交流６ｕ，６ｗについての交流電流及び交流電圧の計測値とに基づいて、電力変換回路２０の動作を制御できる。
【００３９】
Ｗ相の電力変換装置１０ｗでは、設定部３０の設定により、スイッチ６１ｗ，６２ｗのみがオンになり、第１計測回路５１の計測値は制御回路４０の入力ポートＰ１３に入力され、第２計測回路５２の計測値は制御回路４０の入力ポートＰ２３に入力される。また、制御回路４０には、信号バス４を介してＵ相、Ｖ相の電力変換装置１０ｕ，１０ｖで計測された計測値が入力される。これにより、電力変換装置１０ｗの制御回路４０は、変換対象の交流６ｗについての交流電流及び交流電圧の計測値と、他相の交流６ｕ，６ｖについての交流電流及び交流電圧の計測値とに基づいて、電力変換回路２０の動作を制御できる。
【００４０】
したがって、各相の電力変換装置１０ｕ，１０ｖ，１０ｗの制御回路４０は、信号バス４を介して他相の電力変換装置１０と情報を共有し、他相の電力変換装置１０と連携して電力変換回路２０を動作させることができる。
【００４１】
図５では、信号バス４が、本線４Ａと、本線４Ａと各相の電力変換装置１０ｕ，１０ｖ，１０ｗとの間を接続する支線４Ｂ，４Ｃ，４Ｄとで構成されている。したがって、各相の電力変換装置１０ｕ，１０ｖ，１０ｗのコネクタ７０は、支線４Ｂ，４Ｃ，４Ｄを介して、本線４Ａに電気的に接続されている。図５の例では、電力変換装置１０ｕ，１０ｖ，１０ｗのコネクタ７０は、支線４Ｂ，４Ｃ，４Ｄを介して本線４Ａに接続されているが、コネクタ７０と信号バス４との間の配線形態は適宜変更が可能である。
【００４２】
図６は、三相の電力変換装置１０ｕ，１０ｖ，１０ｗが収納ラック９０（収納部）に収納された状態を示している。収納ラック９０は例えば前面に開口を有する箱型である。収納ラック９０には、三相の電力変換装置１０ｕ，１０ｖ，１０ｗが重ねられた状態で収納されている。電力変換装置１０ｕ，１０ｖ，１０ｗの本体の前面にはコネクタ７０がそれぞれ配置されている。中央に配置される電力変換装置１０ｖのコネクタ７０と、上側に配置される電力変換装置１０ｕのコネクタ７０とはハーネス４Ｆを介して電気的に接続される。中央に配置される電力変換装置１０ｖのコネクタ７０と、下側に配置される電力変換装置１０ｗのコネクタ７０とはハーネス４Ｇを介して電気的に接続される。つまり、ハーネス４Ｆ，４Ｇは電力変換装置１０ｖのコネクタ７０に共通接続されている。図６の結線例で、ハーネス４Ｆ，４Ｇで信号バス４が構成されている。
【００４３】
尚、収納ラック９０に信号バス４が配線され、信号バス４の要所に、コネクタ７０が差込接続されるコネクタが設けられていてもよい。これにより、収納ラック９０の開口から電力変換装置１０ｕ，１０ｖ，１０ｗを挿入すると、電力変換装置１０ｕ，１０ｖ，１０ｗのコネクタ７０が、信号バス４に設けられたコネクタに接続される。このとき、コネクタ７０の端子ｔ１〜ｔ８が信号バス４の信号線４１ｕ〜４１ｗ，４２ｕ〜４２ｗ，４３，４４に電気的に接続されるので、コネクタ７０と信号バス４とを電気的に接続する作業が容易になる。
【００４４】
（２．２）変形例２
上記の実施形態及び変形例１では、各相の電力変換装置１０ｕ，１０ｖ，１０ｗがそれぞれ計測回路５０を備えているが、変形例２では、図７に示すように、計測回路５０ｕ，５０ｖ，５０ｗは電力変換装置１０ｕ，１０ｖ，１０ｗの外部に設けられている。尚、上記の実施形態と共通する構成要素には同一の符号を付して、その説明は省略する。
【００４５】
計測回路５０ｕ，５０ｖ，５０ｗは、例えばカレントトランス、ホールＩＣ等の変換器を用いて、交流６ｕ，６ｖ，６ｗに流れる交流電流をそれぞれ計測する。
【００４６】
計測回路５０ｕ，５０ｖ，５０ｗの出力端子は、それぞれ、切替回路６３を介してＵ相、Ｖ相、Ｗ相の信号線４ｕ，４ｖ，４ｗに電気的に接続されている。計測回路５０ｕは切替回路６３を介して信号線４ｕに計測値を出力し、計測回路５０ｖは切替回路６３を介して信号線４ｖに計測値を出力し、計測回路５０ｗは切替回路６３を介して信号線４ｗに計測値を出力する。
【００４７】
これにより、電力変換装置１０ｕ，１０ｖ，１０ｗの各々には、信号バス４の信号線４ｕ，４ｖ，４ｗを介して、各相の計測回路５０ｕ，５０ｖ，５０ｗの計測値が入力され、計測回路５０ｕ，５０ｖ，５０ｗの計測値が共有される。したがって、電力変換装置１０ｕ，１０ｖ，１０ｗのそれぞれでは、制御回路４０が、信号バス４を介して入力される計測回路５０ｕ，５０ｖ，５０ｗの計測値に基づいて電力変換回路２０の動作を制御することができる。
【００４８】
（２．３）変形例３
変形例３の電力変換システム１では、変形例１で説明した電力変換システム１において、３相の電力変換装置１０ｕ，１０ｖ，１０ｗのうち、例えば電力変換装置１０ｖがマスタ装置となり、電力変換装置１０ｕ，１０ｗがスレーブ装置となる。ここで、電力変換装置１０ｕ，１０ｖ，１０ｗの各々において、設定部３０を用いてマスタ装置であるかスレーブ装置であるかを設定すればよい。変形例３の電力変換システム１の構成は変形例１と同様であるので、共通の構成要素には同一の符号を付して、その説明は省略する。
【００４９】
マスタ装置である電力変換装置１０ｖの制御回路４０は、計測回路５０で計測された計測値と、信号バス４を介して入力されるＵ相及びＷ相の電力変換装置１０ｕ，１０ｗの計測値に基づいて、異常が発生しているか否かを監視する。制御回路４０は、Ｕ相、Ｖ相、Ｗ相のいずれかで異常が発生したと判断すると、出力ポートＰ３１からエラー信号（停止命令）を出力し、電力変換回路２０の動作を停止させる。電力変換装置１０ｖの制御回路４０から出力されたエラー信号は、信号バス４を介して電力変換装置１０ｕ，１０ｗの制御回路４０の入力ポートＰ３２に入力される。電力変換装置１０ｕ，１０ｗの制御回路４０は、入力ポートＰ３２にエラー信号が入力されると、電力変換回路２０の動作を停止させる。これにより、マスタ装置である電力変換装置１０ｖから出力されるエラー信号（停止命令）によって、スレーブ装置である電力変換装置１０ｕ，１０ｗの動作を停止させることができる。よって、３台の電力変換装置１０ｕ，１０ｖ，１０ｗを連携して動作させることができる。
【００５０】
ここにおいて、マスタ装置とスレーブ装置との間の距離が長くなると、信号伝送にかかる時間が長くなって、スレーブ装置が停止動作を開始するまでの時間が遅れる可能性がある。変形例３の電力変換システム１では、３台の電力変換装置１０ｕ，１０ｖ，１０ｗのうち中央に配置された電力変換装置１０ｖがマスタ装置となり、電力変換装置１０ｕ，１０ｗがスレーブ装置となっている。したがって、両端に配置された電力変換装置１０ｕ，１０ｗがマスタ装置となる場合に比べて、マスタ装置とスレーブ装置との間の距離が短くなり、スレーブ装置が停止動作を開始するまでの時間を短縮できる。
【００５１】
（２．４）変形例４
変形例３の電力変換システム１では、３相の電力変換装置１０ｕ，１０ｖ，１０ｗのうちの１台がマスタ装置となり、マスタ装置以外の電力変換装置がスレーブ装置となっている。それに対して、変形例４では、図８に示すように、電力変換装置１０ｕ，１０ｖ，１０ｗがスレーブ装置となり、電力変換装置１０ｕ，１０ｖ，１０ｗとは別にマスタ装置２００が設けられている。
【００５２】
マスタ装置２００は、信号バス４の信号線４４を介して、電力変換装置１０ｕ，１０ｖ，１０ｗの制御回路４０に接続されている。マスタ装置２００は信号線４４に対してクロック信号を出力し、クロック信号は電力変換装置１０ｕ，１０ｖ，１０ｗの制御回路４０に入力される。電力変換装置１０ｕ，１０ｖ，１０ｗの制御回路４０は、マスタ装置２００から供給される同一のクロック信号によって動作するので、電力変換装置１０ｕ，１０ｖ，１０ｗの動作に時間的なずれが発生しにくくなる。
【００５３】
マスタ装置２００が、信号バス４を介して電力変換装置１０ｕ，１０ｖ，１０ｗの制御回路４０に供給する情報はクロック信号に限定されず、停止命令（エラー信号）等の制御命令等でもよい。マスタ装置２００が、信号バス４を介して電力変換装置１０ｕ，１０ｖ，１０ｗに制御命令を送信することで、電力変換装置１０ｕ，１０ｖ，１０ｗを連携して動作（例えば停止動作）させることができる。
【００５４】
（２．５）変形例５
変形例５の電力変換装置１０の概略的な回路図を図９に示す。変形例５の電力変換装置１０（１０ｕ，１０ｖ，１０ｗ）は接続回路８１を備える点で、上記実施形態の電力変換装置１０と相違する。接続回路８１以外の構成は上記実施形態と同様であるので、共通の構成要素には同一の符号を付して、その説明は省略する。
【００５５】
各相の電力変換装置１０ｕ，１０ｖ，１０ｗは、電力変換回路２０等の回路が形成された回路基板１００を備える。回路基板１００には、信号バス４の信号線４ｕ，４ｖ，４ｗにそれぞれ接続される接続端子ｔ３１，ｔ３２，ｔ３３が設けられている。複数の接続端子ｔ３１，ｔ３２，ｔ３３には複数種類の情報が入力されており、例えば各相の電力変換装置１０ｕ，１０ｖ，１０ｗの計測回路５０で計測された計測値が入力される。そして、各相の電力変換装置１０ｕ，１０ｖ，１０ｗの制御回路４０は、接続端子ｔ３１，ｔ３２，ｔ３３に入力される情報（計測回路５０の計測値）に基づいて電力変換回路２０の出力を制御する。
【００５６】
ここで、接続端子ｔ３１，ｔ３２，ｔ３３は、電力変換装置１０ｕ，１０ｖ，１０ｗの定位置に設けられている。電力変換装置１０ｕ，１０ｖ，１０ｗでは、接続端子ｔ３１，ｔ３２，ｔ３３に接続される信号線４ｕ，４ｖ，４ｗが異なっている。換言すると、電力変換装置１０ｕ，１０ｖ，１０ｗでは、接続端子ｔ３１，ｔ３２，ｔ３３の配列が異なっている。
【００５７】
電力変換装置１０ｕでは、接続端子ｔ３１が変換対象のＵ相の交流６ｕに対応し、接続端子ｔ３２がＶ相の交流６ｖに対応し、接続端子ｔ３３がＷ相の交流６ｗに対応している。
【００５８】
電力変換装置１０ｖでは、接続端子ｔ３１が変換対象のＶ相の交流６ｖに対応し、接続端子ｔ３２がＷ相の交流６ｗに対応し、接続端子ｔ３３がＷ相の交流６ｕに対応している。
【００５９】
電力変換装置１０ｗでは、接続端子ｔ３１が変換対象のＷ相の交流６ｗに対応し、接続端子ｔ３２がＵ相の交流６ｕに対応し、接続端子ｔ３３がＶ相の交流６ｖに対応している。
【００６０】
このように、電力変換装置１０ｕ，１０ｖ，１０ｗでは、接続端子ｔ３１，ｔ３２，ｔ３３がそれぞれ対応する電流の位相（情報の種類）が異なり、接続端子ｔ３１，ｔ３２，ｔ３３がそれぞれ接続される信号線４ｕ，４ｖ，４ｗが異なっている。
【００６１】
そこで、電力変換装置１０ｕ，１０ｖ，１０ｗの各々は接続回路８１を備えている。接続回路８１は、接続端子ｔ３１，ｔ３２，ｔ３３の各々を、複数の信号線４ｕ，４ｖ，４ｗのうち対応する信号線に接続する導電路８１ａを有している。これにより、三相の電力変換装置１０ｕ，１０ｖ，１０ｗでは、複数の接続端子ｔ３１，ｔ３２，ｔ３３のうち、同種類の情報に対応した接続端子同士が接続回路８１を介して電気的に接続される。したがって、三相の電力変換装置１０ｕ，１０ｖ，１０ｗで接続回路８１を介して情報を共有することができ、制御回路４０は共有した情報に基づいて電力変換回路２０を制御することができる。
【００６２】
変形例５では、電力変換装置１０ｕ，１０ｖ，１０ｗのそれぞれで、接続端子ｔ３１，ｔ３２，ｔ３３にそれぞれ接続される信号線が接続回路８１によって選択されるので、電力変換装置１０ｕ，１０ｖ，１０ｗを所定の位置に取り付けるだけでよい。作業者が信号線の位相を回転（つまり、信号線の配置を変更）する作業が不要であるので、接続作業が容易である。言い換えると、接続回路８１の３本の導電路８１ａは、信号バス４を構成するＵ相、Ｖ相、Ｗ相の３本の信号線４ｕ，４ｖ，４ｗの位相を回転させる（つまり、Ｕ相、Ｖ相、Ｗ相の３本の信号線４ｕ，４ｖ，４ｗの配置が１つずつずれて回転する）ように構成されている。よって、電力変換装置１０ｕ，１０ｖ，１０ｗの接続端子ｔ３１，ｔ３２，ｔ３３には、接続回路８１がＵ相、Ｖ相、Ｗ相の３本の信号線４ｕ，４ｖ，４ｗの位相を回転させることで、それぞれ対応する交流の信号線が接続される。つまり、電力変換装置１０ｕ，１０ｖ，１０ｗの接続端子ｔ３１，ｔ３２，ｔ３３にそれぞれ対応する交流の信号線が接続されるように、接続回路８１が信号線４ｕ，４ｖ，４ｗの位相（配置）を回転させている。よって、電力変換装置１０ｕ，１０ｖ，１０ｗのそれぞれで信号線４ｕ，４ｖ，４ｗの接続対象となる接続端子ｔ３１，ｔ３２，ｔ３３が切り替えられている。
【００６３】
次に、変形例５の電力変換装置１０の具体構成を図１０〜図１２に基づいて説明する。
【００６４】
変形例５の電力変換装置１０は、図１０に示すように、計測回路５０と、信号生成回路５３と、接続回路８１と、コネクタ７１，７２とを備える点で、変形例３の電力変換装置１０と相違する。変形例５の電力変換装置１０は、図１１に示すような単相交流６ｓの電力変換システム１にも適用可能であるし、図１２に示すような三相交流６ｕ，６ｖ，６ｗの電力変換システム１にも適用可能である。以下では、変形例３と同様の構成については、共通の符号を付して適宜説明を省略する。
【００６５】
計測回路５０は、電力変換回路２０が電力変換を行う変更対象の交流に関する電気的特性値を計測する。例えば、計測回路５０は、変換対象の交流に関する電気的特性値として交流電流を計測する。
【００６６】
信号生成回路５３は、制御回路４０から入力される制御信号ＰＷＭｕに応じてＰＷＭ信号を生成し、電力変換回路２０に出力する。電力変換回路２０は、信号生成回路５３から入力されるＰＷＭ信号に基づいてスイッチング素子をＰＷＭ制御することによって、電力変換回路２０の出力を制御する。
【００６７】
制御回路４０は、Ｕ相、Ｖ相、Ｗ相での計測値が入力される入力ポートＰ１１，Ｐ１２，Ｐ１３と、Ｕ相、Ｖ相、Ｗ相の制御信号ＰＷＭｕ，ＰＷＭｖ，ＰＷＭｗの入力又は出力用の入出力ポートＰ４１，Ｐ４２，Ｐ４３とを備える。また、制御回路４０は、エラー信号の出力ポートＰ３１及び入力ポートＰ３２と、クロック信号の入力又は出力用の入出力ポートＰ３３とを備える。
【００６８】
コネクタ７１は８極の接続端子ｔ１１〜ｔ１８を有し、コネクタ７２は８極の接続端子ｔ２１〜ｔ２８を有している。図１２に示すように、Ｖ相の電力変換装置１０Ｖのコネクタ７１（接続端子ｔ１１〜ｔ１８）は、信号バス４の複数（８本）の信号線を介して、Ｕ相の電力変換装置１０Ｕのコネクタ７２（接続端子ｔ２１〜ｔ２８）に電気的に接続される。Ｖ相の電力変換装置１０Ｖのコネクタ７２（接続端子ｔ２１〜ｔ２８）は、信号バス４の複数（８本）の信号線を介して、Ｗ相の電力変換装置１０Ｗのコネクタ７１（接続端子ｔ２１〜ｔ２８）に電気的に接続される。これにより、複数の電力変換装置１０ｕ，１０ｖ，１０ｗは、信号バス４が有する複数の信号線を介して、複数種類の情報を共有する。
【００６９】
制御回路４０の入力ポートＰ１１，Ｐ１２，Ｐ１３はコネクタ７１の接続端子ｔ１１，ｔ１２，ｔ１３に接続され、入出力ポートＰ４１，Ｐ４２，Ｐ４３はコネクタ７１の接続端子ｔ１４，ｔ１５，ｔ１６に接続される（図１０参照）。出力ポートＰ３１及び入力ポートＰ３２はコネクタ７１，７２の接続端子ｔ１７，ｔ２７に接続され、入出力ポートＰ３３はコネクタ７１，７２の接続端子ｔ１８，ｔ２８に接続される。
【００７０】
ここで、電力変換装置１０ｕ，１０ｖ，１０ｗでは、入力ポートＰ１１〜Ｐ１３に入力される信号がそれぞれ対応する交流の位相が異なり、入出力ポートＰ４１〜Ｐ４３に入力又は出力される信号がそれぞれ対応する交流が異なっている。具体的には、入力ポートＰ１１及び入出力ポートＰ４１が対応する交流、入力ポートＰ１２及び入出力ポートＰ４２が対応する交流、入力ポートＰ１３及び入出力ポートＰ４３が対応する交流が、電力変換装置１０ｕ，１０ｖ，１０ｗの間でそれぞれ異なっている。換言すると、複数の電力変換装置１０ｕ，１０ｖ，１０ｗのうち信号バス４に隣接して接続される２つの電力変換装置の間（例えば電力変換装置１０ｕ，１０ｖの間）で、複数の接続端子の配列が異なっている。
【００７１】
そこで、電力変換装置１０ｕ，１０ｖ，１０ｗには接続回路８１が設けられ、コネクタ７１の接続端子ｔ１１〜ｔ１６は接続回路８１を介してコネクタ７２の接続端子ｔ２１〜ｔ２６に接続されている。
【００７２】
接続回路８１は、複数の電力変換装置１０ｕ，１０ｖ，１０ｗがそれぞれ有する複数の接続端子ｔ１１〜ｔ１６のうち、複数種類の情報のうち同種類の情報に対応した接続端子同士を電気的に接続する導電路８１ａを有している。
【００７３】
本実施形態では、接続回路８１は、接続端子ｔ１１を接続端子ｔ２３、接続端子ｔ１２を接続端子ｔ２１、接続端子ｔ１３を接続端子ｔ２２にそれぞれ接続する導電路８１ａを有している。また、接続回路８１は、接続端子ｔ１４を接続端子ｔ２６、接続端子ｔ１５を接続端子ｔ２４、接続端子ｔ１６を接続端子ｔ２５にそれぞれ接続する導電路８１ａを有している。このように、隣接する２つの電力変換装置１０のうちの一方の接続端子ｔ２１〜ｔ２６と、隣接する２つの電力変換装置１０のうちの他方の接続端子ｔ１１〜ｔ１６とでそれぞれ対応する信号（情報の種類）が合致するように、導電路８１ａは入れ替えられている。
【００７４】
三相交流の電力変換システム１では、図１２及び図１３に示すように、三相の電力変換装置１０ｕ，１０ｖ，１０ｗのコネクタ７１，７２の間が信号バス４の一部を構成するハーネス４Ｇ，４Ｈを介して接続されている。具体的には、Ｕ相の電力変換装置１０ｕのコネクタ７２と、Ｖ相の電力変換装置１０ｖのコネクタ７１とが、ハーネス４Ｇを介して接続される。Ｖ相の電力変換装置１０ｖのコネクタ７２と、Ｗ相の電力変換装置１０ｗのコネクタ７１とが、ハーネス４Ｈを介して接続される。ここにおいて、ハーネス４Ｇ，４Ｈと、電力変換装置１０ｕ，１０ｖ，１０ｗの内部の電線（接続回路８１を含む）とで信号バス４が構成されている。
【００７５】
電力変換装置１０ｕ，１０ｖ，１０ｗがハーネス４Ｇ，４Ｈを介して接続されると、電力変換装置１０ｕ，１０ｖ，１０ｗのコネクタ７１の接続端子ｔ１１〜ｔ１６には、ハーネス４Ｇ，４Ｈがそれぞれ備える複数の信号線の中から対応する信号（情報）の信号線が接続される。これにより、三相の電力変換装置１０ｕ，１０ｖ，１０ｗで複数種類の情報が共有される。
【００７６】
尚、変形例５で説明した接続回路８１（図９、図１０参照）は一例であり、複数の電力変換装置１０ｕ，１０ｖ，１０ｗが有する接続端子の数、配列などに応じて、接続回路８１が有する導電路８１ａの構成は適宜変更が可能である。
【００７７】
また、変形例５において、３台の電力変換装置１０ｕ，１０ｖ，１０ｗのうち、例えばＶ相の電力変換装置１０ｖがマスタ装置となり、スレーブ装置であるＵ相及びＷ相の電力変換装置１０Ｕ，１０Ｗにそれぞれ制御信号ＰＷＭｕ，ＰＷＭｗを出力してもよい。この場合、スレーブ装置となったＵ相及びＷ相の電力変換装置１０Ｕ，１０Ｗでは、制御回路４０は、制御信号ＰＷＭｕ，ＰＷＭｗを生成する処理は行わない。
【００７８】
Ｖ相の電力変換装置１０ｖの制御回路４０は、信号バス４を介して入力されるＵ相、Ｖ相、Ｗ相の交流電圧の計測値Ｖｕ，Ｖｖ，Ｖｗをもとに、Ｕ相、Ｖ相、Ｗ相の制御信号ＰＷＭｕ，ＰＷＭｖ，ＰＷＭｗを生成する。制御回路４０は、入出力ポートＰ４１，Ｐ４２，Ｐ４３からそれぞれ制御信号ＰＷＭｕ，ＰＷＭｖ，ＰＷＭｗを出力する。
【００７９】
Ｖ相の制御信号ＰＷＭｖは信号生成回路５３に入力され、信号生成回路５３が、制御信号ＰＷＭｕに応じてＰＷＭ信号を生成し、電力変換回路２０に出力する。
【００８０】
Ｕ相及びＷ相の制御信号ＰＷＭｕ，ＰＷＭｗは、信号バス４を介して、電力変換装置１０ｕ，１０ｗの信号生成回路５３にそれぞれ入力される。電力変換装置１０ｕの信号生成回路５３は、電力変換装置１０ｖから入力される制御信号ＰＷＭｖに応じてＰＷＭ信号を生成し、電力変換回路２０に出力する。同様に、電力変換装置１０ｗの信号生成回路５３は、電力変換装置１０ｖから入力される制御信号ＰＷＭｗに応じてＰＷＭ信号を生成し、電力変換回路２０に出力する。
【００８１】
これにより、Ｖ相の電力変換装置１０ｖの制御回路４０で、三相の電力変換装置１０ｕ，１０ｖ，１０ｗの出力を制御することができる。尚、Ｕ相の電力変換装置１０ｕの制御回路４０、又は、Ｗ相の電力変換装置１０ｗの制御回路４０が、三相分の制御信号ＰＷＭｕ，ＰＷＭｖ，ＰＷＭｗを生成してもよい。つまり、三相の電力変換装置１０ｕ，１０ｖ，１０ｗのうちいずれかの電力変換装置１０の制御回路４０で三相分の制御信号ＰＷＭｕ，ＰＷＭｖ，ＰＷＭｗを生成すればよい。
【００８２】
（２．６）変形例６
変形例５では、各相の電力変換装置１０ｕ，１０ｖ，１０ｗの内部に接続回路８１が設けられているが、変形例６では、図１４に示すように信号バス４の途中に接続回路４００が設けられている。
【００８３】
接続回路４００は、信号バス４において、信号バス４に隣接して接続される２つの電力変換装置１０の間に設けられている。
【００８４】
各相の電力変換装置１０ｕ，１０ｖ，１０ｗは、電力変換回路２０等の回路が形成された回路基板１００に、信号バス４の信号線４ｕ，４ｖ，４ｗにそれぞれ接続される接続端子ｔ３１，ｔ３２，ｔ３３が設けられている。接続端子ｔ３１，ｔ３２，ｔ３３は、電力変換装置１０ｕ，１０ｖ，１０ｗの定位置に設けられている。電力変換装置１０ｕ，１０ｖ，１０ｗでは、接続端子ｔ３１，ｔ３２，ｔ３３に接続される信号線４ｕ，４ｖ，４ｗが異なっている。換言すると、電力変換装置１０ｕ，１０ｖ，１０ｗでは、接続端子ｔ３１，ｔ３２，ｔ３３の配列が異なっている。
【００８５】
電力変換装置１０ｕでは、接続端子ｔ３１が変換対象のＵ相の交流６ｕに対応した信号線４ｕに、接続端子ｔ３２がＶ相の交流６ｖに対応した信号線４ｖに、接続端子ｔ３３がＷ相の交流６ｗに対応した信号線４ｗにそれぞれ接続される。
【００８６】
電力変換装置１０ｖでは、接続端子ｔ３１が変換対象のＶ相の交流６ｖに対応した信号線４ｖに、接続端子ｔ３２がＷ相の交流６ｗに対応した信号線４ｗに、接続端子ｔ３３がＷ相の交流６ｕに対応した信号線４ｕにそれぞれ接続される。
【００８７】
電力変換装置１０ｗでは、接続端子ｔ３１が変換対象のＷ相の交流６ｗに対応した信号線４ｗに、接続端子ｔ３２がＵ相の交流６ｕに対応した信号線４ｕに、接続端子ｔ３３がＶ相の交流６ｖに対応した信号線４ｖにそれぞれ接続される。
【００８８】
このように、電力変換装置１０ｕ，１０ｖ，１０ｗでは、接続端子ｔ３１，ｔ３２，ｔ３３に接続される信号線４ｕ，４ｖ，４ｗが異なっているので、信号バス４において隣接する電力変換装置１０の間には接続回路４００が設けられている。
【００８９】
電力変換装置１０ｕと電力変換装置１０ｖとの間に接続される接続回路４００は、電力変換装置１０ｖの接続端子ｔ３１，ｔ３２，ｔ３３にそれぞれ信号線４ｖ，４ｗ，４ｕが接続されるように信号線４ｕ，４ｖ，４ｗの配列を変換している。すなわち、接続回路４００によって信号線４ｕ，４ｖ，４ｗの並びが変換されている。
【００９０】
また、電力変換装置１０ｖと電力変換装置１０ｗとの間に接続される接続回路４００は、電力変換装置１０ｗの接続端子ｔ３１，ｔ３２，ｔ３３にそれぞれ信号線４ｗ，４ｕ，４ｖが接続されるように信号線４ｕ，４ｖ，４ｗの配列を変換している。
【００９１】
このように、隣接する２つの電力変換装置１０の間に設けられた接続回路４００が信号線の配列を変換しているので、電力変換装置１０を所定の位置に接続すると、接続端子ｔ３１，ｔ３２，ｔ３３にはそれぞれ対応する交流の信号線が接続されることになる。例えば、接続端子ｔ３１，ｔ３２，ｔ３３が差込式の接続端子であり、信号バス４に接続端子ｔ３１，ｔ３２，ｔ３３が差込接続されるコネクタが設けられている場合には、接続作業が更に容易になる。電力変換装置１０を所定の位置に取り付けると、接続端子ｔ３１，ｔ３２，ｔ３３が、それぞれ対応する交流の信号線（信号線４ｕ，４ｖ，４ｗのいずれか）に設けたコネクタに差込接続されるので、接続作業が容易である。また、接続端子ｔ３１，ｔ３２，ｔ３３にそれぞれ接続される信号線は接続回路４００によって選択されるので、電力変換装置１０を所定の位置に取り付けるだけでよい。作業者が信号線の位相を回転（つまり、信号線の配置を変更）する作業が不要であるので、接続作業が容易である。言い換えると、接続回路４００の３本の導電路４００ａは、信号バス４を構成するＵ相、Ｖ相、Ｗ相の３本の信号線４ｕ，４ｖ，４ｗの位相を回転させる（つまり、Ｕ相、Ｖ相、Ｗ相の３本の信号線４ｕ，４ｖ，４ｗの配置が１つずつずれて回転する）ように構成されている。よって、電力変換装置１０ｕ，１０ｖ，１０ｗの接続端子ｔ３１，ｔ３２，ｔ３３には、接続回路４００がＵ相、Ｖ相、Ｗ相の３本の信号線４ｕ，４ｖ，４ｗの位相を回転させることで、それぞれ対応する交流の信号線が接続される。つまり、電力変換装置１０ｕ，１０ｖ，１０ｗの接続端子ｔ３１，ｔ３２，ｔ３３にそれぞれ対応する交流の信号線が接続されるように、接続回路４００が信号線４ｕ，４ｖ，４ｗの位相（配置）を回転させており、電力変換装置１０ｕ，１０ｖ，１０ｗのそれぞれで信号線４ｕ，４ｖ，４ｗの接続対象となる接続端子ｔ３１，ｔ３２，ｔ３３が切り替えられている。
【００９２】
（２．７）その他の変形例
電力変換システム１は三相交流の電力系統６に接続されているが、電力系統６は二相、又は四相以上の多相交流でもよい。
【００９３】
電力変換回路２０には、蓄電池からなる直流電源５が接続されているが、直流電源５は蓄電池に限定されず、太陽光発電装置、風力発電装置、燃料電池などの発電装置でもよい。また、電力変換回路２０に電線２を介して交流電源が接続されてもよく、電力変換回路２０は、交流電源の交流電力と、三相交流の各相の交流６ｕ，６ｖ，６ｗの交流電力との間で電力変換を行うものでもよい。
【００９４】
設定部３０は、ディップスイッチに限定されず、マイクロコンピュータ等のプログラマブルなデバイスで構成されてもよく、設定部３０と制御回路４０とが同一のマイクロコンピュータ等で構成されてもよい。また、設定部３０が、外部の設定装置と通信する通信機能を有し、設定装置から受信した設定情報に基づいて、電力変換回路２０が電力変換を行う変換対象の交流等を設定してもよい。
【００９５】
また、電力変換装置１０が備える電力変換回路２０、設定部３０、及び制御回路４０のうちの少なくとも１つの機能が、２つ以上の装置に分散して設けられてもよい。また、電力変換回路２０、設定部３０、及び制御回路４０の各々の機能が、複数の装置に分散して設けられていてもよい。制御回路４０の機能は、例えば、クラウド（クラウドコンピューティング）によって実現されてもよい。
【００９６】
（まとめ）
以上説明したように、第１の態様の電力変換装置（１０，１０ｕ，１０ｖ，１０ｗ）は、電力変換装置（１０，１０ｕ，１０ｖ，１０ｗ）を複数備える電力変換システム（１）に複数の電力変換装置（１０，１０ｕ，１０ｖ，１０ｗ）の１つとして用いられる。複数の電力変換装置（１０，１０ｕ，１０ｖ，１０ｗ）は交流電力の電力変換を行う。電力変換システム（１）は、交流電力の電力変換を行う電力変換装置を複数備えて、位相が異なる複数の交流（６ｕ，６ｖ，６ｗ）の組み合わせである多相電力の電力系統（６）に接続される。電力変換装置（１０，１０ｕ，１０ｖ，１０ｗ）は、電力変換回路（２０）と、設定部（３０）と、制御回路（４０）とを有する。電力変換回路（２０）は、直流電力又は交流電力と、複数の交流（６ｕ，６ｖ，６ｗ）のうちいずれかの交流（６ｕ，６ｖ，６ｗ）の交流電力との間で電力変換を行う。設定部（３０）は、複数の交流（６ｕ，６ｖ，６ｗ）のうち電力変換回路（２０）が電力変換を行う変換対象の交流（６ｕ，６ｖ，６ｗ）を設定する。制御回路（４０）は、設定部（３０）の設定に応じて、電力変換回路（２０）の動作を制御する。
【００９７】
これにより、設定部（３０）によって電力変換回路（２０）が電力変換を行う変換対象の交流（６ｕ，６ｖ，６ｗ）を設定できる。したがって、電力変換装置（１０，１０ｕ，１０ｖ，１０ｗ）を所望の交流（６ｕ，６ｖ，６ｗ）の電力変換装置として使用できるから、不具合が発生した電力変換装置（１０，１０ｕ，１０ｖ，１０ｗ）のみ交換することもでき、施工性が向上する。
【００９８】
第２の態様の電力変換装置（１０，１０ｕ，１０ｖ，１０ｗ）では、第１の態様において、制御回路（４０）は、複数の電力変換装置（１０，１０ｕ，１０ｖ，１０ｗ）のうち自装置以外の電力変換装置（１０，１０ｕ，１０ｖ，１０ｗ）と情報を共有し、情報に基づいて電力変換回路（２０）の動作を制御する。
【００９９】
制御回路（４０）は、自装置以外の電力変換装置（１０，１０ｕ，１０ｖ，１０ｗ）と共有した情報に基づいて電力変換回路（２０）の動作を制御できるので、複数の電力変換装置（１０，１０ｕ，１０ｖ，１０ｗ）が連携して動作できる。
【０１００】
第３の態様の電力変換装置（１０，１０ｕ，１０ｖ，１０ｗ）では、第２の態様において、情報は、複数の交流（６ｕ，６ｖ，６ｗ）のうち対応する交流に関する電気的特性値をそれぞれ計測する複数の計測回路（５０，５１，５２）の計測値を含む。制御回路（４０）は、複数の計測回路（５０，５１，５２）でそれぞれ計測された計測値に基づいて、電力変換回路（２０）を制御する。
【０１０１】
制御回路（４０）は、複数の計測回路（５０，５１，５２）でそれぞれ計測された計測値に基づいて、電力変換回路（２０）を制御できるので、複数の電力変換装置（１０，１０ｕ，１０ｖ，１０ｗ）が連携して動作できる。
【０１０２】
第４の態様の電力変換装置（１０，１０ｕ，１０ｖ，１０ｗ）では、第３の態様において、複数の信号線（４ｕ，４ｖ，４ｗ）を含む信号バス（４）が、複数の電力変換装置（１０，１０ｕ，１０ｖ，１０ｗ）のそれぞれに電気的に接続されている。複数の計測回路（５０，５１，５２）は、複数の信号線（４ｕ，４ｖ，４ｗ）のうち対応する信号線に計測値を出力する。
【０１０３】
これにより、制御回路（４０）が、信号バス（４）を介して、複数の計測回路（５０，５１，５２）でそれぞれ計測された計測値を共有でき、複数の電力変換装置（１０，１０ｕ，１０ｖ，１０ｗ）を連携して動作させることができる。
【０１０４】
第５の態様の電力変換装置（１０，１０ｕ，１０ｖ，１０ｗ）では、第２〜第４のいずれかの態様において、情報は、複数の電力変換装置（１０，１０ｕ，１０ｖ，１０ｗ）の動作を同期させるためのクロック信号を含む。
【０１０５】
これにより、複数の電力変換装置（１０，１０ｕ，１０ｖ，１０ｗ）が共通のクロック信号で動作できるので、複数の電力変換装置（１０，１０ｕ，１０ｖ，１０ｗ）の間で動作に時間的なずれが発生しにくくなる。
【０１０６】
第６の態様の電力変換装置（１０，１０ｕ，１０ｖ，１０ｗ）では、第１〜第５のいずれかの態様において、複数の電力変換装置（１０，１０ｕ，１０ｖ，１０ｗ）のうちの１つがマスタ装置となる。複数の電力変換装置（１０，１０ｕ，１０ｖ，１０ｗ）のうちマスタ装置以外の電力変換装置（１０，１０ｕ，１０ｖ，１０ｗ）がスレーブ装置となる。自装置がマスタ装置である場合、制御回路（４０）は、異常発生時に、電力変換回路（２０）の動作を停止して、停止命令をスレーブ装置に出力する。自装置がスレーブ装置である場合、制御回路（４０）は、マスタ装置から停止命令が入力されると電力変換回路（２０）の動作を停止する。
【０１０７】
これにより、複数の電力変換装置（１０，１０ｕ，１０ｖ，１０ｗ）では、マスタ装置からの停止命令に応じて、スレーブ装置を一斉に停止させることができる。
【０１０８】
第７の態様の電力変換装置（１０，１０ｕ，１０ｖ，１０ｗ）では、第１〜第６のいずれかの態様において、複数の電力変換装置（１０，１０ｕ，１０ｖ，１０ｗ）のうちの１つがマスタ装置となる。複数の電力変換装置（１０，１０ｕ，１０ｖ，１０ｗ）のうちマスタ装置以外の電力変換装置（１０，１０ｕ，１０ｖ，１０ｗ）がスレーブ装置となる。自装置がマスタ装置である場合、制御回路（４０）は、スレーブ装置に制御信号を出力し、自装置がスレーブ装置である場合、電力変換回路（２０）は、マスタ装置から入力される制御信号によって動作が制御される。
【０１０９】
これにより、マスタ装置の制御回路（４０）が、複数の電力変換装置（１０，１０ｕ，１０ｖ，１０ｗ）の電力変換回路（２０）の動作を制御することができる。
【０１１０】
第８の態様の電力変換システム（１）は、第１〜第７のいずれか１つの態様の電力変換装置（１０，１０ｕ，１０ｖ，１０ｗ）を複数備え、複数の電力変換装置（１０，１０ｕ，１０ｖ，１０ｗ）のそれぞれに電気的に接続される信号バス（４）を更に備える。信号バス（４）は、複数の電力変換装置（１０，１０ｕ，１０ｖ，１０ｗ）で共有される複数種類の情報にそれぞれ対応した複数の信号線（４ｕ，４ｖ，４ｗ）を含む。
【０１１１】
これにより、施工性が向上した電力変換システム（１）を実現できる。
【０１１２】
第９の態様の電力変換システム（１）では、第８の態様において、複数の電力変換装置（１０，１０ｕ，１０ｖ，１０ｗ）のそれぞれは複数の接続端子（ｔ１１〜ｔ１８，ｔ２１〜ｔ２８，ｔ３１〜ｔ３３）を有する。複数の接続端子（ｔ１１〜ｔ１８，ｔ２１〜ｔ２８，ｔ３１〜ｔ３３）は、複数の信号線（４ｕ，４ｖ，４ｗ）にそれぞれ電気的に接続される。電力変換システム（１）は接続回路（８１，４００）を更に備える。接続回路（８１，４００）は導電路（８１ａ，４００ａ）を有する。導電路（８１ａ，４００ａ）は、複数の電力変換装置（１０，１０ｕ，１０ｖ，１０ｗ）がそれぞれ有する複数の接続端子（ｔ１１〜ｔ１８，ｔ２１〜ｔ２８，ｔ３１〜ｔ３３）のうち、同種類の情報に対応する接続端子同士を電気的に接続する。
【０１１３】
これにより、複数の電力変換装置（１０，１０ｕ，１０ｖ，１０ｗ）が信号バス（４）に接続されると、複数の接続端子（ｔ１１〜ｔ１８，ｔ２１〜ｔ２８，ｔ３１〜ｔ３３）にそれぞれ対応する信号線（４ｕ，４ｖ，４ｗ）が接続される。
【０１１４】
第１０の態様の電力変換システム（１）では、第９の態様において、接続回路（４００）は、信号バス（４）において、信号バス（４）に隣接して接続される２つの電力変換装置（１０，１０ｕ，１０ｖ，１０ｗ）の間に設けられる。
【０１１５】
これにより、複数の電力変換装置（１０，１０ｕ，１０ｖ，１０ｗ）が信号バス（４）に接続されると、複数の接続端子（ｔ１１〜ｔ１８，ｔ２１〜ｔ２８，ｔ３１〜ｔ３３）にそれぞれ対応する信号線（４ｕ，４ｖ，４ｗ）が接続される。
【０１１６】
第１１の態様の電力変換システム（１）は、第９又は第１０の態様において、蓄電池（５）を更に備える。電力変換回路（２０）は、蓄電池（５）の直流電力と複数の交流（６ｕ，６ｖ，６ｗ）のうちいずれかの交流（６ｕ，６ｖ，６ｗ）の交流電力との間で電力変換を行う。
【０１１７】
これにより、蓄電池（５）から放電した直流電力を交流電力に変換して供給する動作、及び交流（６ｕ，６ｖ，６ｗ）の交流電力を直流電力に変換して蓄電池（５）を充電する動作の少なくとも一方を行うことができる。
【０１１８】
第１２の態様の電力変換システム（１）は、第９〜第１１のいずれかの態様において、複数の電力変換装置（１０，１０ｕ，１０ｖ，１０ｗ）と信号バス（４）とを収納する収納部（９０）を、更に備える。
【０１１９】
第２〜第７の態様に係る構成については、電力変換装置（１０，１０ｕ，１０ｖ，１０ｗ）に必須の構成ではなく、適宜省略可能である。また、第９〜第１２の態様に係る構成については、電力変換システム（１）に必須の構成ではなく、適宜省略可能である。
【符号の説明】
【０１２０】
１  電力変換システム
４  信号バス
５  直流電源（蓄電池）
４ｕ，４ｖ，４ｗ  信号線
６  電力系統
６ｕ，６ｖ，６ｗ  交流
１０，１０ｕ，１０ｖ，１０ｗ  電力変換装置
２０  電力変換回路
３０  設定部
４０  制御回路
５０  計測回路
５１  第１計測回路（計測回路）
５２  第２計測回路（計測回路）
８１，４００  接続回路
９０  収納ラック（収納部）
ｔ１１〜ｔ１８，ｔ２１〜ｔ２８，ｔ３１〜ｔ３３  接続端子
【図１】
2019026764.tif 000003
【図２】
2019026764.tif 000004
【図３】
2019026764.tif 000005
【図４】
2019026764.tif 000006
【図５】
2019026764.tif 000007
【図６】
2019026764.tif 000008
【図７】
2019026764.tif 000009
【図８】
2019026764.tif 000010
【図９】
2019026764.tif 000011
【図１０】
2019026764.tif 000012
【図１１】
2019026764.tif 000013
【図１２】
2019026764.tif 000014
【図１３】
2019026764.tif 000015
【図１４】
2019026764.tif 000016
【国際調査報告】
2019026764.tif 000017
2019026764.tif 000018